(57)【特許請求の範囲】
【請求項１】
トルクコンバータにおいて、
ポンプシェルと、
カバーと、
カバー及びポンプシェルとの接触により固定されたトルクコンバータクラッチのためのバッキングプレートであって、カバー及びポンプシェルによってバッキングプレートに対して加えられる軸方向圧力によって固定されているバッキングプレートと、を備え、
ポンプシェル及びカバーがさらに個々の内周面を有しており、
バッキングプレートがさらに鋸歯状の外周面を有しており、
バッキングプレートがカバーの内周面側からカバー内に突入することによって、バッキングプレートとカバーとが締りばめ結合され且つバッキングプレートの外周面とカバーの内周面とが摩擦接触されており、摩擦接触がバッキングプレートをカバーの内周面に回転方向で固定していることを特徴とする、トルクコンバータ。
【請求項２】
ポンプシェルが半径方向面を有しており、バッキングプレートがさらに、ポンプシェルのための半径方向面と接触した半径方向面を有している、請求項１記載のトルクコンバータ。
【請求項３】
クラッチが設けられており、バッキングプレートが、クラッチがつながれたときのクラッチからの軸方向の力に反応するように配置されている、請求項１又は２記載のトルクコンバータ。
【請求項４】
軸方向でポンプシェルとカバーとの間に配置された複数のコンポーネントが設けられており、
ポンプシェルに固定されたポンプハブが設けられており、ポンプシェルに対するポンプハブの位置が、複数のコンポーネントにおけるコンポーネントの間の個々の軸方向間隔を決定するように選択されている、請求項１から３までのいずれか１項記載のトルクコンバータ。
【請求項５】
複数のコンポーネントがさらに出力ハブを含み、ポンプハブの位置が、カバーと出力ハブとの間の軸方向間隔を決定するように選択されている、請求項４記載のトルクコンバータ。
【請求項６】
複数のコンポーネントがさらに軸受を含み、ポンプハブの位置が、軸受とポンプハブとの間の軸方向間隔を決定するために選択されている、請求項４又は５記載のトルクコンバータ。
【請求項７】
軸方向でポンプシェルとカバーとの間に配置された複数のコンポーネントが設けられており、
ポンプシェルに固定されたポンプハブが設けられており、ポンプハブのフランジ付き領域の軸方向長さが、複数のコンポーネントにおけるコンポーネントの間の個々の軸方向間隔を決定するために選択される、請求項１から３までのいずれか１項記載のトルクコンバータ。
【請求項８】
複数のコンポーネントがさらに出力ハブを含み、フランジ付き領域の長さが、カバーとポンプハブとの間の軸方向間隔を決定するために選択される、請求項７記載のトルクコンバータ。
【請求項９】
複数のコンポーネントがさらに軸受を含み、フランジ付き領域の長さが、軸受とポンプハブとの間の軸方向間隔を決定するために選択される、請求項７又は８記載のトルクコンバータ。
【請求項１０】
前記カバーに回転方向で結合されたトルクコンバータクラッチと、
該トルクコンバータクラッチのためのピストンプレートと、が設けられており、該ピストンプレートが、トルクコンバータクラッチのための提供圧力チャンバのための境界の部分を形成しており、前記提供圧力チャンバが、流体供給チャネルを除いてシールされており、ピストンプレートが、トルクコンバータクラッチをつなぐために前記カバーに向かって変位するように配置されている、請求項１から９までのいずれか１項記載のトルクコンバータ。
【請求項１１】
環状空間と、第１の圧力チャンバと、第２の圧力チャンバとが設けられており、第１の圧力チャンバが第２の圧力チャンバ及び環状空間と流体連通しており、提供圧力チャンバにおける圧力が、第１の圧力チャンバ及び第２の圧力チャンバにおける圧力から独立して制御される、請求項１０記載のトルクコンバータ。
【請求項１２】
冷却流体と、環状空間と、第１の圧力チャンバと、第２の圧力チャンバとが設けられており、第１の圧力チャンバが第２の圧力チャンバ及び環状空間と流体連通しており、クラッチが摩擦材料を有しており、クラッチがつながれた場合、冷却流体が、摩擦材料を通って第１の圧力チャンバと第２の圧力チャンバとの間を流れるように配置されている、請求項１０又は１１記載のトルクコンバータ。
【請求項１３】
提供圧力チャンバのための境界の部分を形成したタービンシェルが設けられている、請求項１０から１２までのいずれか１項記載のトルクコンバータ。
【請求項１４】
ピストンプレートがタービンシェルに回転方向で結合されている、請求項１０から１３までのいずれか１項記載のトルクコンバータ。
【請求項１５】
タービンハブが設けられており、クラッチがつながれた場合、ピストンプレートが、エンジントルクをタービンシェルを介してタービンハブに伝達するように配置されている、請求項１０から１３までのいずれか１項記載のトルクコンバータ。
【発明の詳細な説明】
【技術分野】
【０００１】
関連出願とのクロスリファレンス
本願は、合衆国第３５法典第１１９条（ｅ）に基づいて、引用したことにより本明細書に記載されたものとする、２００７年７月５日に出願された米国特許仮出願第６０／９５８３４６号明細書、及び２００７年５月９日に出願された米国特許仮出願第６０／９２８４３７号明細書の利益を請求する。
【０００２】
発明の分野
本発明は、回転駆動ユニット（例えば、自動車のエンジン）と、回転被駆動ユニット（例えば、自動車における変速トランスミッション）との間で力を伝達するための装置の改良に関する。特に、本発明は、トルクコンバータモード中の摩擦損失を最小限にしながらロックアップモードの間にタービンハブにトルクを提供しかつ、改良された冷却流れを提供する、トルクコンバータクラッチを備えたトルクコンバータに関する。
【背景技術】
【０００３】
発明の背景
図１は、典型的な車両における、エンジン７と、トルクコンバータ１０と、トランスミッション８と、ディファレンシャル／車軸アセンブリ９との関係を示す概略的なブロック線図を示している。自動車のエンジンからトランスミッションへトルクを伝達するためにトルクコンバータが使用されることがよく知られている。
【０００４】
トルクコンバータの３つの主要な構成要素は、ポンプ３７と、タービン３８と、ステータ３９とである。トルクコンバータは、ポンプがカバー１１に溶接されると、シールされたチャンバとなる。カバーはフレックスプレート４１に結合されており、このフレックスプレート４１自体はエンジン７のクランクシャフト４２にボルト留めされている。カバーは、カバーに溶接されたラグ又はスタッドを用いてフレックスプレートに結合されることができる。ポンプとカバーとの間の溶接された結合はエンジントルクをポンプに伝達する。したがって、ポンプは常にエンジン速度で回転する。ポンプの機能は、この回転運動を利用し、流体を半径方向外方及び軸方向へタービンに向かって送ることである。したがって、ポンプは、流体を小さな半径の入口から大きな半径の出口へ推進する遠心ポンプであり、流体のエネルギを増大させる。トランスミッションクラッチとトルクコンバータクラッチとを係合させるための圧力は、ポンプハブによって駆動される、トランスミッションにおける付加的なポンプによって提供される。
【０００５】
トルクコンバータ１０において、流体回路は、ポンプ（インペラと呼ばれる場合もある）と、タービンと、ステータ（リアクタと呼ばれる場合もある）とによって構成されている。流体回路は、車両が停止させられている場合にエンジンを回転させ続け、運転手によって望まれた場合に車両を加速する。流体回路は、車両が停止させられている場合にエンジンを回転させ続け、運転手によって望まれた場合に車両を加速する。トルク比は、入力トルクに対する出力トルクの比である。トルク比は、タービン回転速度が低い又はゼロである（ストールとも呼ばれる）場合に最も高くなる。ストールトルク比は通常１．８〜２．２の範囲である。これは、トルクコンバータの出力トルクが入力トルクよりも１．８〜２．２倍だけ大きいことを意味する。しかしながら、出力速度は入力速度よりも著しく低い。なぜならば、タービンは出力部に結合されておりかつ回転していないが、入力部はエンジン速度で回転しているからである。
【０００６】
タービン３８は、車両を推進するために、ポンプ３７から受け取る流体エネルギを利用する。タービンシェル２２はタービンハブ１９に結合されている。タービンハブ１９は、タービントルクをトランスミッションシャフト４３に伝達するためにスプライン結合を利用する。入力軸は、トランスミッション８における歯車及び軸と、車軸ディファレンシャル９とを介して、車輪に結合されている。タービンブレードに衝突する流体の力は、トルクとしてタービンから出力される。軸方向スラスト軸受３１は、構成要素を、流体によって与えられる軸方向の力から支持する。出力トルクが、静止中の車両の慣性を克服するのに十分であると、車両は動き始める。
【０００７】
流体エネルギはタービンによってトルクに変換された後、依然として流体には僅かなエネルギが残されている。小さな半径の出口４４から出てくる流体は、通常は、ポンプの回転に対抗するような形式でポンプに進入する。ステータ３９は、ポンプの加速を助けるために流体を方向転換させるために使用され、これにより、トルク比を増大させる。ステータ３９は一方向クラッチ４６を介してステータシャフト４５に結合されている。ステータシャフトはトランスミッションハウジング４７に結合されており、回転しない。一方向クラッチ４６は、ステータ３９が低速比（ポンプがタービンよりも速く回転している）において回転するのを阻止する。タービン出口４４からステータ３９に進入する流体は、ステータブレード４８によって方向転換させられ、回転方向でポンプ３７に進入する。
【０００８】
ブレードの入口角度及び出口角度、ポンプ及びタービンシェルの形状、トルクコンバータの総直径とが、その性能に影響する。設計パラメータは、トルク比と、効率と、エンジンを"ランアウェイ"させることなくエンジントルクを吸収するためのトルクコンバータの能力とを含む。これは、トルクコンバータが小さすぎ、ポンプがエンジンを減速させることができない場合に起こる。
【０００９】
低速比においては、トルクコンバータは正常に機能し、車両が静止した状態でエンジンを回転させ、増大した性能のためにエンジントルクを補足する。１よりも小さな速度比では、トルクコンバータの効率は１００％に満たない。タービンの回転速度がポンプの回転速度に近づくにしたがって、トルクコンバータのトルク比は、約１．８〜２．２から、約１のトルク比まで次第に減少する。トルク比が１に達したときの速度比はカップリングポイントと呼ばれる。このポイントにおいては、ステータに進入する流体はもはや方向転換される必要はなく、ステータにおける一方向クラッチが、流体を、ポンプ及びタービンと同じ方向に回転させる。ステータが流体を方向転換していないので、トルクコンバータから出力されるトルクは、トルク入力と同じである。流体回路全体はユニットとして回転する。
【００１０】
最大トルクコンバータ効率は、流体における損失に基づき９２〜９３％に限定される。したがって、トルクコンバータクラッチ４９は、トルクコンバータ入力部を出力部に機械的に結合するために使用され、効率を１００％に改善する。クラッチピストンプレート１７は、トランスミッションコントローラによって命令されると、液圧によって作動させられる。ピストンプレート１７は、内径においてＯリング１８によってタービンハブ１９に対してシールされており、外径において摩擦材料リング５１によってカバー１１に対してシールされている。これらのシールは、圧力チャンバを形成し、ピストンプレート１７をカバー１１と係合させる。この機械的な結合は、トルクコンバータ流体回路をバイパスする。
【００１１】
トルクコンバータクラッチ４９の機械的結合は、ドライブトレーンに、より多くのエンジンねじれ変動を伝達する。ドライブトレーンが基本的にばね質量系であるので、エンジンからのねじれ変動は、系の固有振動数を励起することができる。ダンパは、ドライブトレーンの固有振動数を、駆動範囲から外れさせるように使用される。ダンパは、エンジン７及びトランスミッション８と直列に配置されたばね１５を有しており、これにより、系の有効ばね定数を減衰させ、固有振動数を低下させる。
【００１２】
トルクコンバータクラッチ４９は、４つの構成要素、すなわちピストンプレート１７と、カバープレート１２及び１６と、ばね１５と、フランジ１３とを有している。カバープレート１２及び１６はトルクをピストンプレート１７から圧縮ばね１５に伝達する。カバープレートウィング５２は、軸方向保持のためにばね１５の周囲に形成されている。ピストンプレート１７からのトルクは、リベット結合部を介してカバープレート１２及び１６に伝達される。カバープレート１２及び１６は、ばね窓の縁部と接触することによって、トルクを圧縮ばね１５に提供する。両カバープレートは、ばねの中心軸線の両側においてばねを支持するように協働する。ばね力は、フランジばね窓縁部との接触によって、フランジ１３に伝達される。時には、フランジは、高トルク時にばねの過剰圧縮を回避するために、カバープレートの一部に係合する回転タブ又はスロットも有している。フランジ１３からのトルクは、タービンハブ１９と、トランスミッション入力軸４３とに伝達される。
【００１３】
エネルギ吸収は、望まれるならば、時にはヒステリシスと呼ばれる摩擦によって達せられることができる。ヒステリシスは、ダンパプレートの巻き上げ及び巻出しからの摩擦を含み、したがって実際の摩擦トルクの２倍である。ヒステリシスパッケージは、概して、ダイアフラムばね（又は皿ばね）１４から成り、このダイアフラムばね（又は皿ばね）は、フランジ１３と、カバープレート１６の一方との間に配置されており、フランジ１３を他方のカバープレート１２と接触させる。ダイアフラムばね１４によって加えられる力の大きさを制御することによって、摩擦トルクの大きさも制御されることができる。典型的なヒステリシスの値は、１０〜３０Ｎｍの範囲である。
【００１４】
トルクコンバータのためのロックアップモードにおいて、タービンハブ１９に提供されるトルクはほとんど又は全くない。同時に、カバープレート１６はダンパを介してエンジントルクを受け取っている。すなわち、プレートとハブとの間のスプライン結合において、カバープレート１６とタービンハブとの間の断続的な接触が存在し、望ましくない振動及び騒音を生じる。換言すれば、カバープレートは、エンジントルクの変動によりスプライン結合においてタービンハブに対して衝突し、上述の振動及び騒音を生じる。２００６年６月２８日に出願された、共同で所有された米国特許仮出願第６０／８１６９３２号明細書は、トルクコンバータモードにおけるトルクコンバータの作動中の上述の振動及び騒音を回避するための手段を開示している。しかしながら、トルクコンバータモードにおける作動中のトルクコンバータクラッチにおける抗力をさらに低減することが望ましい。
【００１５】
したがって、トルクコンバータモードにおける作動中のトルクコンバータクラッチにおけるがたつきを回避しかつ抗力を低減する手段を備えたトルクコンバータを提供することが長い間必要とされている。
【発明の開示】
【発明が解決しようとする課題】
【００１６】
したがって、本発明の全体的な目的は、冷却流れをも改良しながら、トルクコンバータモードにおける作動中のトルクコンバータクラッチにおけるがたつきを回避しかつ抗力を低減する手段を備えたトルクコンバータを提供することである。
【課題を解決するための手段】
【００１７】
発明の概要
本発明は、広くは、ポンプシェルと、カバーと、カバー及びポンプシェルと接触することによって固定された、トルクコンバータクラッチのためのバッキングプレートとを有するトルクコンバータを含む。幾つかの態様において、バッキングプレートは、バッキングプレートに対してカバー及びポンプによって加えられる軸方向圧力によって固定されている。幾つかの態様において、ポンプシェル及びカバーは個々の内周面を有しており、バッキングプレートは、個々の内周面のうちの少なくとも１つと接触した外周面を有する。幾つかの態様において、外周面は、鋸歯状であり、個々の内周面のうちの少なくとも１つと摩擦を生じながら係合させられている。幾つかの態様において、カバーは内周面を有しており、バッキングプレートは、内周面と摩擦を生じながら係合させられた、鋸歯状の外周面を有している。幾つかの態様において、ポンプシェルは半径方向の面を有しており、バッキングプレートは、ポンプシェルのための半径方向の面と接触した半径方向の面を有する。幾つかの態様において、バッキングプレートは、クラッチがつながれた時にクラッチからの軸方向の力に反応するように配置されている。
【００１８】
本発明は、トルクコンバータクラッチのためのバッキングプレートをカバーとポンプシェルとの間に配置するステップと、バッキングプレートをカバーとポンプシェルとの間に固定するためにカバー及びポンプシェルのうちの１つをバッキングプレートに対して軸方向に押し付けるステップと、カバーをポンプシェルに固定するステップとを含む、トルクコンバータを組み立てる方法をも含む。幾つかの態様において、ポンプシェル及びカバーは個々の内周面を有しており、バッキングプレートは外周面を有しており、バッキングプレートを配置することが、個々の内周面のうちの少なくとも１つと接触するように外周面を配置することを含む。幾つかの態様において、バッキングプレートを固定するためにカバー及びポンプシェルのうちの１つをバッキングプレートに対して軸方向に押し付けることが、バッキングプレートをポンプシェル及びカバーと摩擦を生じながら係合させることを含む。幾つかの態様において、ポンプシェルは個々の半径方向の面を有しており、バッキングプレートは半径方向の面を有しており、バッキングプレートを配置することが、ポンプシェルのための半径方向面と接触するようにバッキングプレートの半径方向の面を配置することを含む。
【００１９】
本発明はさらに、広くは、クラッチパックの高さを測定するステップと、トルクコンバータクラッチのためのバッキングプレートをカバーとポンプシェルとの間に配置するステップと、クラッチパックの高さに基づいて所望の据付け深さを固定するためにポンプシェルをバッキングプレートに対して軸方向に押し付けるステップと、カバーをポンプシェルに固定するステップを有する、トルクコンバータを組み立てるための方法を含む。
【００２０】
本発明は、広くは、軸方向でポンプシェルとカバーとの間に配置された複数のコンポーネントと、ポンプシェルに固定されたポンプハブとを有するトルクコンバータを含む。ポンプシェルに対するポンプハブの位置は、複数のコンポーネントにおけるコンポーネントの間の個々の軸方向距離を決定するために選択される。幾つかの態様において、複数のコンポーネントはさらに、出力ハブを含み、ポンプハブの位置は、カバーとポンプハブとの間の軸方向距離を決定するために選択される。幾つかの態様において、複数のコンポーネントはさらに、軸受を含み、ポンプハブの位置は、軸受とポンプハブとの間の軸方向距離を決定するために選択される。
【００２１】
本発明は広くは、複数のコンポーネントをカバーにおいて軸方向に積層するステップと、ポンプシェルをコンポーネント及びカバー上に配置するステップと、ポンプシェルとカバーに固定するステップと、複数のコンポーネントにおけるコンポーネントの間に個々の軸方向の距離を決定するためにカバーからの特定の軸方向距離においてポンプハブをポンプシェルに対して位置決めするステップと、ポンプハブをポンプシェルに固定するステップとを有する、トルクコンバータを組み立てる方法をも含む。幾つかの態様において、複数のコンポーネントは出力ハブを有しており、ポンプハブを位置決めすることが、カバーと出力ハブとの間の軸方向距離を決定することを含む。幾つかの態様において、複数のコンポーネントは軸受を有しており、ポンプハブを位置決めすることが、軸受とポンプハブとの間の軸方向距離を決定することを含む。
【００２２】
本発明はさらに、広くは、軸方向でポンプシェルとカバーとの間に配置された複数のコンポーネントと、ポンプシェルに固定されたポンプハブとを有するトルクコンバータを含む。ポンプハブのフランジ付き部分の軸方向長さは、複数のコンポーネントにおけるコンポーネントの間の個々の軸方向距離を決定するために選択される。幾つかの態様において、複数のコンポーネントは、出力ハブを含み、ポンプハブの長さは、カバーとポンプハブとの間の軸方向距離を決定するために選択される。幾つかの態様において、複数のコンポーネントはさらに、軸受を含み、ポンプハブの長さは、軸受とポンプハブとの間の軸方向距離を決定するために選択される。
【００２３】
本発明は広くは、複数のコンポーネントをカバーに軸方向に積層するステップと、ポンプシェルをコンポーネント及びカバー上に配置するステップと、ポンプシェルとカバーに固定するステップと、カバーの前側とポンプシェルの後側との間の軸方向距離を決定するステップと、軸方向距離に対して特定の比例関係を有する長さを有するポンプハブを選択するステップとを有し、特定の比例関係が、複数のコンポーネントにおけるコンポーネントの間の所定の個々の軸方向距離を生じ、ポンプハブをポンプシェルに固定するステップを有する、トルクコンバータを組み立てる方法を含む。幾つかの態様において、複数のコンポーネントは出力ハブを有しており、ポンプハブを選択することが、カバーと出力ハブとの間の軸方向距離を決定することを含む。幾つかの態様において、複数のコンポーネントは軸受を有しており、ポンプハブを選択することが、軸受とポンプハブとの間の軸方向距離を決定することを含む。
【００２４】
本発明は、広くは、軸方向でポンプシェルとカバーとの間に配置された複数のコンポーネントと、ポンプシェルに対する複数の位置から選択された、ポンプシェルに対する位置においてポンプシェルに固定されたポンプハブとを有し、位置が、複数のコンポーネントにおけるコンポーネントの間の個々の軸方向距離を決定するように選択されている、トルクコンバータをも含む。
【００２５】
本発明はさらに、広くは、タービンシェルと、トルクコンバータクラッチのためのバッキングプレートとを有し、バッキングプレートがタービンシェルに回転方向で結合されておりかつ第１の圧力チャンバと第２の圧力チャンバとの間の境界の一部を形成している、トルクコンバータを含む。クラッチのための提供圧力チャンバにおける圧力は、第１及び第２の圧力チャンバにおける圧力から独立して制御される。幾つかの態様において、トルクコンバータは、ダンパ及びタービンシェルに回転方向で結合されたタービンハブを有する。幾つかの態様において、ダンパは、タービンハブに回転方向で結合されたカバープレートを有する。幾つかの態様において、トルクコンバータのためのロックアップモードにおいて、第１のトルク経路は、クラッチからダンパまで形成されており、第２のトルク経路は、タービンシェル及びカバープレートを介してクラッチからダンパまで形成されている。幾つかの態様において、クラッチは、ダンパに回転方向で結合された摩擦プレートを有しており、第１のトルク経路が摩擦プレートを通過している。幾つかの態様において、トルクコンバータは、ポンプシェルと、軸方向でタービンシェルとポンプシェルとの間に配置された回転スラスト移転エレメントとを有する。幾つかの態様において、バッキングプレートはタービンシェルに固定されている。幾つかの態様において、トルクコンバータは、ポンプハブと、ステータと、軸方向でタービンハブとステータとの間及びステータとポンプハブとの間に配置された第１及び第２の摩耗ワッシャとを有する。
【００２６】
本発明は、広くは、カバーと、カバーに回転方向で結合されたトルクコンバータクラッチと、クラッチのためのピストンプレートとを有しており、ピストンプレートが、クラッチのための提供圧力チャンバのための境界の一部を形成している、トルクコンバータを含む。圧力チャンバは流体供給チャネルを除いてシールされており、ピストンプレートは、クラッチをつなぐためにカバーに向かって移動するように配置されている。幾つかの態様において、トルクコンバータは、環状空間と、第１及び第２の圧力チャンバとを有しており、第１の圧力チャンバは第２の圧力チャンバ及び環状空間と流体連通しており、提供圧力チャンバにおける圧力は、第１及び第２の圧力チャンバにおける圧力から独立して制御される。幾つかの態様において、トルクコンバータは、冷却流体と、環状空間と、第１及び第２の圧力チャンバとを有しており、第１の圧力チャンバは、第２の圧力チャンバ及び環状空間と流体連通しており、クラッチは摩擦材料を有しており、クラッチがつながれると、冷却流体は、摩擦材料を介して第１及び第２の圧力チャンバの間を流れるように配置されている。
【００２７】
幾つかの態様において、トルクコンバータは、提供圧力チャンバのための境界の一部を形成したタービンシェルを有している。幾つかの態様において、ピストンプレートはタービンシェルに回転方向で結合されている。幾つかの態様において、トルクコンバータはタービンハブを有しており、クラッチがつながれると、ピストンプレートは、エンジントルクをタービンシェルを介してタービンハブに伝達するように配置されている。
【００２８】
本発明のこれらの目的及び利点並びにその他の目的及び利点は、本発明の好適な実施形態の以下の説明と、添付の図面及び請求項とから容易に認められるであろう。
【発明を実施するための最良の形態】
【００２９】
本発明の性質及び態様がここで、添付の図面を参照した発明の以下の詳細な説明により完全に説明される。
【００３０】
まず、異なる図面における同じ参照符号は、発明の同じ又は機能的に類似の構造エレメントを表していることが認識されるべきである。本発明は、現時点で好適な態様であると考えられるものに関して説明されるが、請求項に記載の発明は開示された態様に限定されないと理解されるべきである。
【００３１】
さらに、発明は、記載された特定の方法、材料及び変化態様に限定されず、もちろん変更することができる。ここで使用されている用語は、特定の態様だけを説明するためのものであり、本発明の範囲を限定しようとするものではなく、発明の範囲は、添付の請求項によってのみ限定される。
【００３２】
特に定義されない限りは、ここで使用される全ての技術的及び科学的用語は、本発明が属する技術分野における当業者にとって一般的に理解されるのと同じ意味を有する。ここに説明されたものと同じ又は均等のあらゆる方法、装置又は材料が発明の実施又は試験において使用されることができるが、好適な方法、装置及び材料がここでは説明されている。
【００３３】
図７Ａは、本願において用いられる空間に関する用語を説明する円筒座標系８０の斜視図である。本発明は、少なくとも部分的に円筒座標系に関連して説明される。系８０は長手方向軸線８１を有しており、この長手方向軸線は、以下の方向及び空間の用語のための基準として使用される。"軸方向"、"半径方向"及び"周方向"という形容詞は、軸線８１、半径８２（軸線８１に対して直交する）及び円周８３のそれぞれに対して平行な方向に関する。"軸方向"、"半径方向"及び"周方向"という形容詞は、個々の平面に対して平行な方向にも関する。様々な平面の配置を明らかにするために、物体８４，８５及び８６が用いられている。物体８４の面８７は軸方向平面を形成している。すなわち、軸線８１はこの面に沿った線を形成している。物体８５の面８８は半径方向平面を形成している。すなわち、軸線８２はこの面に沿った線を形成している。物体８６の面８９は周方向平面を形成している。すなわち、軸線８３はこの面に沿った線を形成している。別の例として、軸方向の移動又は配置は軸線８１に対して平行であり、半径方向の移動又は配置は半径８２に対して平行であり、周方向の移動又は配置は円周８３に対して平行である。回転は軸線８１に関する。
【００３４】
"軸方向"、"半径方向"及び"周方向"という副詞は、軸線８１、半径８２又は円周８３のそれぞれに対して平行な方向に関する。"軸方向"、"半径方向"及び"周方向"という副詞は、個々の平面に対して平行な方向にも関する。
【００３５】
図７Ｂは、本願において用いられる空間に関する用語を説明する図７Ａの円筒座標系における物体９０の斜視図である。円筒状物体９０は、円筒座標系における円筒状物体を表しており、本願発明をどのようにも限定しようとするものではない。物体９０は、軸方向の面９１と、半径方向の面９２と、周方向の面９３とを有している。面９１は軸方向平面の一部であり、面９２は半径方向平面の一部であり、面９３は周方向平面の一部である。
【００３６】
図８は、締りばめを用いてトルクコンバータに結合されたバッキングプレートを有する本発明のトルクコンバータの部分的な分解図である。
【００３７】
図８Ａは、図８に示されたトルクコンバータの部分的な斜視図である。以下の説明は図８及び図８Ａが参照されるべきである。部分的にのみ示されたトルクコンバータは、バッキングプレート１０２と、カバー１０４と、ポンプシェル１０６とを有する。バッキングプレート１０２は、特に、プレートに対してカバー及びポンプシェルによって加えられる軸方向圧力によって、カバー及びポンプシェルと接触することによって固定されている。カバー１０４は、摺動係合のためにポンプ１０６に対して相補的な、段状の係合フィーチャ１０８を有している。幾つかの態様において、バッキングプレート１０２は、矢印１０７の方向にポンプ１０６が軸方向に移動するとカバー１０４に係合するように配置されている。
【００３８】
カバー及びシェルは個々の内周面１１０及び１１２を有しており、バッキングプレートは、面１１０又は１１２の一方と接触した外周面１１４を有している。幾つかの態様において、面１１４は不規則であり、例えば鋸歯状であり、例えば領域１１８において、例えばカバー１０４とバッキングプレート１０２との間の摩擦結合若しくは締めしろ結合を可能にしている。当業者は、カバー１０４がバッキングプレート１０２の挿入時に変形可能でもあることを即座に認識するべきである。例えば、バッキングプレートはカバー内へ突入する、若しくはカバーにおける材料を変位させる。ポンプシェルは半径方向の面１２０をも有しており、バッキングプレートは、それぞれ面１２０と接触した半径方向の面１２４を有する。
【００３９】
係合段状部１０８は、ポンプ１０６の相補的な係合段状部１２８と滑り係合するように配置されている。カバー１０４とバッキングプレート１０２との締りばめ結合により、カバー１０４からパッキングプレート１０２を介してクラッチ（図示せず）へトルクが受け渡される。例えば、カバー１０４とのバッキングプレート１０２の締りばめにより、バッキングプレート１０２はカバー１０４と共に回転する。バッキングプレート１０２は有利にはクラッチにおける摩擦プレートとして使用されており、この場合、トルクはバッキングプレート１０２から摩擦面を介してクラッチに伝達されることができる。バッキングプレートは、クラッチをつなぐことによって生ぜしめられる軸方向の力にも反応する。最後に、カバー１０４とポンプ１０６とは例えばクロージャ溶接によって結合され、これは、流体漏れを回避するためにカバー１０４とポンプ１０６とが継目において溶接されることを意味する。
【００４０】
トルクコンバータを組み立てる場合、適切な抗力なし動作のために、クラッチリフトオフ、若しくはクラッチコンポーネントの自由回転のための軸方向空間が必要とされる。材料及びコンポーネント仕様が様々であることにより、トルクコンバータの最終組立て時に適切なリフトオフが得られなければならない。クラッチのリフトオフを設定する第１の方法は、クラッチプレート（図示せず）をバッキングプレート１０２のカバー側１２２に据え付けることである。次に、バッキングプレート１０２がクラッチに対して緊密になるまで、ポンプ１０６の挿入時に、バッキングプレート１０２が締りばめされる。トルクコンバータをクロージャ溶接する前にクラッチのリフトオフを設定するために、ポンプ１０６が引き戻され、適切な深さにおいて再据付けされる。
【００４１】
適切なクラッチリフトオフを得る別の方法は、組立ての前にクラッチパックの高さを測定することである。クラッチパックの高さが次いで組立ての前に知られるので、パッキングプレートは、十分なリフトオフを提供するためにカバー１０４に必要な深さだけ挿入されることができる。
【００４２】
図９は、可変据付け深さを有するポンプハブ２０２を備えた本発明のトルクコンバータ２００の部分的な断面図である。ポンプハブ２０２は軸受面２０４と溶接面２０６とを有する。技術分野においてよく知られているように、クラッチを介して積層するのと比較してコンバータを介して積層するトルクコンバータのために、軸受面２０４の位置、例えば、面が軸受２０８の面２０７に係合する軸方向位置は、適切なトルクコンバータ作動のために必要な、トルクコンバータにおける軸方向に積層されたコンポーネントのための空間を決定する。すなわち、コンポーネントの積層ではなく、ハブ２０２の位置が、カバー２１２内へのポンプ２１０の所要の据付け深さを決定する。言い換えれば、ハブ２０２の位置は、積層されたコンポーネントの中での個々の軸方向関係を決定する。したがって、面２０７が浮遊しないように、据付け深さ、すなわち面２０４の位置を適切に設定することが決定的である。浮遊とは、コンポーネントの間の過剰な自由空間が、コンポーネントの望ましくない移動及び可能な故障につながることを意味する。これに対して、不十分な軸方向空間はコンポーネントを詰まらせることがあり、やはり、性能を妥協する。トルクコンバータのコンポーネント積層体は、少なくとも、カバー２１２とポンプ２１０との間に軸方向に配置された、ピストンプレート、ダンパアセンブリ、クラッチ、タービン、タービンハブ、ステータ、及び軸受２０８等の軸受を含む。
【００４３】
コンバータを介して積層されたトルクコンバータのために、軸方向間隔を制御するためにクラッチリフトオフが使用されるならば、面２０７は浮遊する。したがって、幾つかの態様において、コンポーネントはカバー２１２において積層されており、ポンプシェル２１０はカバーと係合させられており、カバーとシェルとは溶接されている。ハブ２０２は据え付けられている。ハブの軸方向位置は、面２０４及び２０７の適切な軸方向関係を提供するためにハブをポンプに対して摺動させることによって制御される。ハブ２０２が位置決めされると、ハブはポンプシェルに溶接される。言い換えれば、複数のコンポーネントはポンプシェルとカバーとの間に軸方向に配置されており、ポンプハブはポンプシェルに固定されており、ポンプシェルに対するポンプハブの位置は、ハブをシェルに固定する前に、複数のコンポーネントにおけるコンポーネントの間の個々の軸方向距離を決定するために、選択される。すなわち、ポンプハブの位置は、カバーとポンプハブとの間の軸方向距離を決定するために選択される。
【００４４】
幾つかの態様において、ハブのフランジ付き領域、例えばセグメント２１４のための種々異なる個々の軸方向長さを有する複数のポンプハブ２０２は、面２０４及び２０７の所望の軸方向関係を決定するために使用される。例えば、コンポーネントがカバー２１２において積層されると、ポンプシェル２１０はカバーと係合させられ、カバーとシェルとは溶接され、所望の軸方向長さを有するセグメント２１４を備えたハブ２０２が、選択され、ポンプシェル面２１４と係合するように挿入され、次いでポンプシェルに溶接される。
【００４５】
図１０は、トルクコンバータクラッチ３０６とタービンシェル３０２とを回転方向で結合するバッキングプレート３５０を備えた本発明のトルクコンバータ３００の部分的な断面図である。プレート３５０は、圧力チャンバ３２８及び３１５の間の境界の少なくとも部分を形成したシールプレートにも作用する。以下にさらに説明するように、クラッチのための提供圧力チャンバ３１３における圧力は、チャンバ３２８及び３１５における圧力とは無関係に制御される。幾つかの態様において、シールプレート３５０は、技術分野において知られるあらゆる手段、例えばリベット３０７を使用してタービンハブ３１９においてタービンシェル３０２に固定される。回転方向で結合又は固定されているとは、２つの構成要素が一緒に回転する、すなわち２つの構成要素が回転に関して固定されているようにバッキングプレートとクラッチとが結合されていることを意味する。２つの構成要素を回転方向で結合することは、必ずしも他の方向での相対移動を制限するわけではない。例えば、回転方向で結合された２つの構成要素が、スプライン結合を介して互いに対して軸方向移動を行うことが可能である。しかしながら、回転方向での結合は、他の方向での移動が必ずしも存在することを意味すると理解されるべきではない。例えば、回転方向で結合された２つの構成部材は、軸方向で互いに固定されていることができる。回転方向での結合の前記説明は、以下の説明にも適用可能である。
【００４６】
クラッチは摩擦材料３２２をも有する。技術分野において知られたあらゆるタイプの摩擦材料が使用されることができる。摩擦材料は、技術分野において知られたあらゆる形式で構成されることができる。例えば、摩擦材料は別のコンポーネント、例えばプレート３５８に取り付けられることができるか、又は別のコンポーネント、例えば摩擦プレート３５８の間に配置される別個のエレメントであることができる。シールプレート３５０はピストンプレート３１０によって提供される圧力に応答し、クラッチをつなぐ。ピストンプレート３１０からの圧力に反応するために必要な剛性を得るために、幾つかの態様において、バッキングプレートは、不規則な形状に形成されており、例えばリブが設けられている。
【００４７】
例えばトルクコンバータのためのロックアップモードの間に、クラッチ３０６がつながれると、クラッチ３０６は、プレート３５０及びリベット３０７を介してタービンハブにトルクを伝達するように配置され、有利にはクラッチ３０６からタービンハブ３１９へのトルクの伝達を可能にする。トルクはタービンハブを"予負荷"し、上述のような振動及び騒音問題を排除する。すなわち、プレート３５０はエンジントルクを、さもなければほとんど又は全くトルクを支持しないタービンハブに伝達し、ダンパ３０４のカバープレート３１１とハブ３１９との間のスプライン結合３０９をロックする。すなわち、プレートとハブとの間の接触はスプライン結合において維持される。タービンハブへのトルクコンバータクラッチの結合はさらに、引用により本明細書に記載されたこととされる２００６年６月２８日に出願された共同で所有された米国特許仮出願第６０／８１６９３２号明細書に記載されている。
【００４８】
チャンバ３１５は環状空間３１７及びチャンバ３２８と流体連通している。クラッチが切断されている場合、流体（図示せず）はチャンバ３２８から摩擦材料の間をチャンバ３１５及び環状空間まで流れ、環状空間のための冷却流を提供する。クラッチがつながれている場合、冷却流体は、圧力チャンバ３２８から摩擦材料を通り、例えば摩擦材料における溝を通り、チャンバ３１５及び環状空間へ流れるように配置されている。幾つかの態様において、冷却流れが反転され、すなわち冷却流体は環状空間からチャンバ３１５へ、チャンバ３２８へ流れる。つまり、トルクコンバータ３００は摩擦材料を通る有利な冷却流れを提供し、環状空間への冷却流れを供給し続けながら、摩擦材料の性能及び耐久性を高める。
【００４９】
チャンバ３１３の動作は、チャンバ３１５の動作から独立している。特に、チャンバ３１３の充填及び排出、ひいてはクラッチ３０６の作動は、チャンバ３１５及び３２８及び環状空間を通る圧力及び冷却流体流れから独立して行われる。例えば、チャンバ３１３は独立してチャネル３３２を介して冷却流体が供給されるので、チャンバ３１３はチャンバ３１５及び３２８における圧力を中断することなく充填される。したがって、チャンバ３２８は、ロックアップモードの間にクラッチ摩擦材料を介してチャンバ３１５及び環状空間に冷却流体を提供し続ける。
【００５０】
摩擦プレート３５８は、技術分野において知られたあらゆる手段によってカバー３０８に結合されている。幾つかの態様において、プレートをばね３３５及び３３７にそれぞれ結合するためにファスナ３３１及び３３３が使用される。リベットを含むがリベットに限定されない、技術分野において知られたあらゆるファスナが使用されることができる。ばねはカバー３０８に固定されており、エンジントルクをカバーから個々の摩擦プレートに伝達する。カバーは、技術分野において知られたあらゆる手段、例えば駆動プレート３３９によって、エンジン又はフレックスプレート（図示せず）に結合されている。幾つかの態様（図示せず）において、プレート３５８をカバーに結合するためにスプライン配列が使用される。有利には、スプライン結合の代わりにばね結合を使用することは、スプライン結合の使用時に固有の望ましくない振動を減じる。
【００５１】
図１１は、トルクコンバータクラッチ４０６とタービンシェル４０２とを回転方向で結合するバッキングプレート４５０を備えた本発明のトルクコンバータ４００の部分的な断面図である。プレート４５０は、圧力チャンバ４２８及び４１５の間の境界の少なくとも部分を形成したシールプレートとしても作用する。以下にさらに説明するように、クラッチのための提供圧力チャンバ４１３における圧力は、チャンバ４２８及び４１５における圧力とは無関係に制御される。幾つかの態様において、シールプレート４５０は、技術分野において知られるあらゆる手段、例えば溶接４０３を使用してタービンシェル４０２に固定される。
【００５２】
クラッチは摩擦材料４２２をも有する。技術分野において知られたあらゆるタイプの摩擦材料が使用されることができる。摩擦材料は、技術分野において知られたあらゆる形式で構成されることができる。例えば、摩擦材料は別のコンポーネント、例えばプレート４５０に取り付けられることができるか、又は別のコンポーネント、例えば摩擦プレート４５８の間に配置される別個のエレメントであることができる。シールプレート４５０はピストンプレート４１０によって提供される圧力に応答し、クラッチをつなぐ。幾つかの態様において、バッキングプレートの反応機能は、タービンシェル４０２における軸方向撓みを生ぜしめる。したがって、幾つかの態様において、回転スラスト受渡しエレメント４７０は、例えば技術分野において知られるあらゆるこのようなエレメント、例えば軸受４７０、であることができ、スラストをクラッチからポンプシェルに受け渡すために、軸方向でタービンシェルとポンプシェル４０５との間に配置されている。幾つかの態様（図示せず）において、ポンプシェル４０５とステータ４０７との間及びステータ４０７とハブ４１９との間にそれぞれ配置された軸受４７１及び４７３は、個々の摩耗ワッシャと交換される。
【００５３】
例えばトルクコンバータのためのロックアップモードの間に、クラッチ４０６がつながれると、クラッチ４０６は、プレート４５０及び溶接４０３を介してタービンハブにトルクを伝達するように配置され、有利にはクラッチ４０６からタービンハブ４１９へのトルクの伝達を可能にする。トルクはタービンハブを"予負荷"し、上述のような振動及び騒音問題を排除する。すなわち、プレート４５０はエンジントルクを、さもなければほとんど又は全くトルクを支持しないタービンハブに伝達し、ダンパ４０４のカバープレート４０９とハブ４１９との間のスプライン結合４１１をロックする。すなわち、プレートとハブとの間の接触はスプライン結合において維持される。タービンハブへのトルクコンバータクラッチの結合はさらに、引用により本明細書に記載されたこととされる２００６年６月２８日に出願された共同で所有された米国特許仮出願第６０／８１６９３２号明細書に記載されている。
【００５４】
チャンバ４１５は環状空間４１７及びチャンバ４２８と流体連通している。クラッチが切断されている場合、流体（図示せず）はチャンバ４２８から摩擦材料の間をチャンバ４１５及び環状空間まで流れ、環状空間のための冷却流を提供する。クラッチがつながれている場合、冷却流体は、圧力チャンバ４２８から摩擦材料を通り、例えば摩擦材料における溝を通り、チャンバ４１５及び環状空間へ流れるように配置されている。幾つかの態様において、冷却流れが反転され、すなわち冷却流体は環状空間からチャンバ４１５へ、チャンバ４２８へ流れる。つまり、トルクコンバータ４００は摩擦材料を通る有利な冷却流れを提供し、環状空間への冷却流れを供給し続けながら、摩擦材料の性能及び耐久性を高める。
【００５５】
チャンバ４１３の動作は、チャンバ４１５及び４２８の動作から独立している。特に、チャンバ４１３の充填及び排出、ひいてはクラッチ４０６の作動は、チャンバ４１５及び４２８及び環状空間を通る圧力及び冷却流体流れから独立して行われる。例えば、チャンバ４１３は独立してチャネル４３２を介して冷却流体が供給されるので、チャンバ４１５はチャンバ４１３及び４２８における圧力を中断することなく充填される。したがって、チャンバ４２８は、ロックアップモードの間にクラッチ摩擦材料を介してチャンバ４１５及び環状空間に冷却流体を提供し続ける。
【００５６】
摩擦プレート４５８は、技術分野において知られたあらゆる手段によってカバー４０８に結合されている。幾つかの態様において、プレートをばね４３５及び４３７にそれぞれ結合するためにファスナ４３１及び４３３が使用される。リベットを含むがリベットに限定されない、技術分野において知られたあらゆるファスナが使用されることができる。ばねはカバー４１３に固定されており、エンジントルクをカバーから個々の摩擦プレートに伝達する。カバーは、技術分野において知られたあらゆる手段、例えば駆動プレート４３９によって、エンジン又はフレックスプレート（図示せず）に結合されている。幾つかの態様（図示せず）において、プレート４５８をカバーに結合するためにスプライン配列が使用される。有利には、スプライン結合の代わりにばね結合を使用することは、スプライン結合の使用時に固有の望ましくない振動を減じる。
【００５７】
図１２は、本発明のトルクコンバータ５００の部分的な断面図である。トルクコンバータ５００は、カバー５０２と、カバーに回転方向で結合されたトルクコンバータクラッチ５０４と、クラッチのためのピストンプレート５０６とを有する。ピストンプレートは、クラッチのための提供圧力チャンバ５０８の部分を形成している。すなわち、ピストンプレートは、チャンバ５０８の境界の部分を形成している。圧力チャンバは、チャンバを充填及び排出するために使用される流体供給チャネル５１０を除いてシールされている。ピストンプレートは、トルクコンバータのためのロックアップモードの間、すなわちクラッチ５０４がつながれているときには、カバー５０２に向かって、すなわち方向５１２へ変位するように配置されている。
【００５８】
トルクコンバータ５００は、圧力チャンバ５１４及び５１６及び環状空間５１８をも有する。チャンバ５１６は、チャンバ５１４及び環状空間と流体連通している。クラッチは摩擦材料５２０ａ，５２０ｂ，５２０ｃ及び５２０ｄを有する。技術分野において知られたあらゆるタイプの摩擦材料が使用されることができる。摩擦材料は、技術分野において知られたあらゆる形式で構成されることができる。例えば、摩擦材料は別のコンポーネント、例えば駆動プレート５２２に取り付けられることができるか、又は別のコンポーネント、例えば摩擦プレート５２２と摩擦プレート５２４との間に配置される別個のエレメントであることができる。クラッチが切断されている場合、流体（図示せず）はチャンバ５１４から摩擦材料の間をチャンバ５１６及び環状空間まで流れ、環状空間のための冷却流を提供する。クラッチがつながれている場合、冷却流体は、圧力チャンバ５１４から摩擦材料を通り、例えば摩擦材料における溝を通り、圧力チャンバ５１６及び環状空間へ流れるように配置されている。幾つかの態様において、冷却流れが反転され、すなわち冷却流体は環状空間からチャンバ５１６へ、チャンバ５１４へ流れる。つまり、トルクコンバータ５００は摩擦材料を通る有利な冷却流れを提供し、環状空間への冷却流れを供給し続けながら、摩擦材料の性能及び耐久性を高める。
【００５９】
チャンバ５０８の動作は、チャンバ５１４及び５１６の動作から独立している。特に、チャンバ５０８の充填及び排出、ひいてはクラッチ５０４の作動は、チャンバ５１４及び５１６及び環状空間を通る圧力及び冷却流体流れから独立して行われる。例えば、チャンバ５０８は独立してチャネル５１０を介して冷却流体が供給されるので、チャンバ５０８はチャンバ５１４及び５１６における圧力を中断することなく充填される。したがって、チャンバ５１４は、ロックアップモードの間にクラッチ摩擦材料を介してチャンバ５１６及び環状空間に冷却流体を提供し続ける。
【００６０】
トルクコンバータ５００は、カバープレート５３０及びスプライン結合５３２を介してタービンハブ５２８に回転方向で結合されたダンパアセンブリ５２６を有する。タービンハブへのトルクコンバータクラッチの結合は、引用により本明細書に記載されたこととされる２００６年６月２８日に出願された共同で所有された米国特許仮出願第６０／８１６９３２号明細書に記載されている。トルクコンバータはタービンシェル５３４をも有する。タービンシェル５３４はチャンバ５０８のための境界の部分を形成している。幾つかの態様において、トルクコンバータは、シェルをピストンプレート５０６に回転方向で結合した回転防止装置５３６を有する。回転装置は、技術分野において知られたあらゆる手段、例えば、シェルにおける突出部５４０と結合されたピストンプレートにおける凹所５３８によって、提供されることができる。ピストンプレートはロックアップモードにおいてプレート５２２と摩擦を生じながら係合させられている。つまり、トルクコンバータのためのロックアップモードの間、クラッチ５４０は、トルクをピストンプレート及び装置５３６を介してタービンハブに伝達するように配置されており、有利には、コンバータ５００のためのロックアップモードにおける作動中にクラッチ５０４からタービンハブ５２８へのエンジントルクの伝達を可能にする。伝達されたエンジントルクはタービンハブを"予負荷"し、上述のような振動及び騒音問題を排除する。すなわち、プレート５０６はエンジントルクを、さもなければほとんど又は全くトルクを支持しないタービンハブに伝達し、プレート５３０とハブ５２８との間のスプライン結合をロックする。すなわち、プレートとハブとの間の接触はスプライン結合において維持される。
【００６１】
幾つかの態様において、プレート５４１は、技術分野において知られたあらゆる手段、例えば溶接５４２によってカバー５０２に固定されている。幾つかの態様において、プレート５４４及び５２２は、技術分野において知られたあらゆる手段によってプレート５４１及びカバー５０２に結合されている。幾つかの態様において、プレートをばね５４６及び５４８にそれぞれ結合するためにファスナ５５０及び５５２が使用される。リベットを含むがリベットに限定されない、技術分野において知られたあらゆるファスナが使用されることができる。ファスナ及びばねは、エンジントルクをカバーから個々の摩擦プレート及びバッキングプレートに伝達する。カバーは、技術分野において知られたあらゆる手段、例えば駆動プレート５５４によって、エンジン又はフレックスプレート（図示せず）に結合されている。幾つかの態様（図示せず）において、プレート５２２，５２４及び５４４をカバーに結合するためにスプライン配列が使用される。有利には、スプライン結合の代わりにばね結合を使用することは、スプライン結合の使用時に固有の望ましくない振動を減じる。
【００６２】
プレート５５４及び５０６及びシール５６４及び５６６はチャンバ５０８をも仕切っている。プレート５５４は、技術分野において知られたあらゆる手段、例えばリベット５６８によってタービンシェル及び／又はタービンハブに固定されている。プレート５６２は、技術分野において知られたあらゆる手段によってタービンシェルに固定されている。シール５６４及び５６６は、クラッチ５０４を操作するためにプレート５０６の変位を可能にする。
【００６３】
本発明のトルクコンバータは、図示されたコンポーネントのタイプ、寸法、数又は構成に限定されず、コンポーネントのその他のタイプ、寸法、数又は構成が、請求項に記載された発明の精神及び範囲に含まれている。例えば、その他のタイプのコンポーネント、及びその他の数、寸法及び構成のコンポーネントは、請求項に記載された発明の精神及び範囲に含まれている。
【００６４】
したがって、本発明の目的は効率的に達成されるが、発明に対する修正及び変更が当業者に容易に明らかであるべきであり、これらの修正は、請求項に記載された発明の精神及び範囲に含まれるものである。前記説明は、本発明の例を示しており、限定するものと考えられるべきでないことも理解される。したがって、本発明の精神及び範囲から逸脱することなく、本発明のその他の実施形態が可能である。
【図面の簡単な説明】
【００６５】
【図１】図１は、ドライブトレーンにおけるトルクコンバータの関係及び機能を説明することを助けるための、自動車における動力伝達経路の概略的なブロック線図である。
【図２】自動車のエンジンに固定されて示されている、従来のトルクコンバータの断面図である。
【図３】図２に示された線３−３に沿って見た、図２に示されたトルクコンバータの平面図である。
【図４】概して図３に示された線４−４に沿って見た、図２及び図３に示されたトルクコンバータの断面図である。
【図５】図２に示されたトルクコンバータの第１の分解図であり、分解されたトルクコンバータを左から見たものとして示されている。
【図６】図２に示されたトルクコンバータの第２の分解図であり、分解されたトルクコンバータを右から見たものとして示されている。
【図７Ａ】本願において用いられた空間的な用語を示している、円筒座標系の斜視図である。
【図７Ｂ】本願において用いられる空間に関する用語を説明する図７Ａの円筒座標系における物体の斜視図である。
【図８】締りばめを用いてトルクコンバータに結合されたバッキングプレートを有する本発明のトルクコンバータの部分的な分解図である
【図８Ａ】図８に示されたトルクコンバータの部分的な斜視図である。
【図９】可変据付け深さを有するポンプハブを備えた本発明のトルクコンバータの部分的な断面図である。
【図１０】トルクコンバータクラッチとタービンシェルとを回転方向で結合するバッキングプレートを備えた本発明のトルクコンバータの部分的な断面図である。
【図１１】タービンシェルに回転方向で結合されたトルクコンバータクラッチを備えた本発明のトルクコンバータの部分的な断面図である。
【図１２】タービンシェルに回転方向で結合されたピストンプレートを備えた本発明のトルクコンバータの部分的な断面図である。
【符号の説明】
【００６６】
１０２  バッキングプレート、  １０４  カバー、  １０６  ポンプシェル、  １０８  段状の係合フィーチャ、  １１０，１１２  内周面、  １１４  面、  １１８  領域、  １２０  面、  １２２  カバー側、  １２８  係合段状部、  ２００  トルクコンバータ、  ２０２  ポンプハブ、  ２０４  軸受面、  ２０６  溶接面、  ２０７  面、  ２０８  軸受、  ２１０  ポンプ、  ２１２  カバー、  ２１４  セグメント、  ３００  トルクコンバータ、  ３０２  タービンシェル、  ３０４  ダンパ、  ３０６  トルクコンバータクラッチ、  ３０７  リベット、  ３１１  カバープレート、  ３１３  提供圧力チャンバ、  ３１５  圧力チャンバ、  ３１９  タービンハブ、  ３２２  摩擦材料、  ３２８  チャンバ、  ３３１，３３３  ファスナ、  ３５０  バッキングプレート、  ３５８  摩擦プレート、  ４００  トルクコンバータ、  ４０２  タービンシェル、  ４０３  溶接、  ４０６  トルクコンバータクラッチ、  ４０７  ステータ、  ４１１  スプライン結合、  ４１３  提供圧力チャンバ、  ４１５  圧力チャンバ、  ４１９  ハブ、  ４２２  摩擦材料、  ４２８  圧力チャンバ、  ４３１  ファスナ、  ４３２  チャネル、  ４３３  ファスナ、  ４３５，４３７  ばね、  ４３９  駆動プレート、  ４５０  バッキングプレート、  ４５８  摩擦プレート、  ４７１，４７３  軸受、  ５００  トルクコンバータ、  ５０４  クラッチ、  ５０６  プレート、  ５１４，５１６  圧力チャンバ、  ５１８  環状空間、  ５２０  摩擦材料、  ５２２  駆動プレート、  ５２４  摩擦プレート、  ５２６  ダンパアセンブリ、  ５２８  タービンハブ、  ５３０  プレート、  ５３４  タービンシェル、  ５３６  回転防止装置、  ５３８  凹所、  ５４０  クラッチ、  ５４４  プレート、  ５５４  駆動プレート、  ５４６，５４８  ばね、  ５５０，５５２  ファスナ、  ５６２  プレート、  ５６４，５６６  シール、  ５６８  リベット
【図１】
0005527943.tif 000002
【図２】
0005527943.tif 000003
【図３】
0005527943.tif 000004
【図４】
0005527943.tif 000005
【図５】
0005527943.tif 000006
【図６】
0005527943.tif 000007
【図７Ａ】
0005527943.tif 000008
【図７Ｂ】
0005527943.tif 000009
【図８】
0005527943.tif 000010
【図８Ａ】
0005527943.tif 000011
【図９】
0005527943.tif 000012
【図１０】
0005527943.tif 000013
【図１１】
0005527943.tif 000014
【図１２】
0005527943.tif 000015